(57)【要約】【課題】  厚い空気層を有し、しかもフィット感が良好な羽毛掛け布団を実現する。【解決手段】  格子状に配したマチテープを介して表地と裏地を立体キルト状に縫い合わせることにより複数の区画室を製袋し、各区画室に羽毛を充填した羽毛掛け布団において、裏地３に対して表地１の寸法を大きく設定し、布団の幅方向の中央箇所Ｆ１において表地と裏地間に中地２を介在させることにより表地と中地間、中地と裏地間のそれぞれを立体キルト状に縫い合わた上下２層の区画室Ｒ１、Ｒ２を設けるとともに、幅方向の両端箇所Ｆ２、Ｆ２おいては表地と裏地間を立体キルト状に縫い合わた１層の区画室とすることにより、裏地に対し余剰した表地部分を布団の幅方向の中央箇所において山状に盛り上がらせる。【選択図】      図１
0003183332.tif 000002
【実用新案登録請求の範囲】
【請求項１】
格子状に配したマチテープを介して表地と裏地を立体キルト状に縫い合わせることにより複数の区画室を製袋し、各区画室に羽毛を充填した羽毛掛け布団において、裏地に対して表地の寸法を大きく設定し、布団の幅方向の中央箇所において表地と裏地間に中地を介在させることにより表地と中地間、中地と裏地間のそれぞれを立体キルト状に縫い合わた上下２層の区画室を設けるとともに、幅方向の両端箇所においては中地を介在させない表地と裏地間を立体キルト状に縫い合わた１層の区画室とすることにより、裏地に対し余剰した表地部分を布団の幅方向の中央箇所において山状に盛り上がらせたことを特徴とする羽毛掛け布団。
【請求項２】
布団の全長方向に連続する複数の区画室の列は、布団の裏地側においてはその幅方向一杯に３列配され、布団の表地側においてはその幅方向の中央箇所において３列配される請求項１記載の羽毛掛け布団。
【請求項３】
表地、中地および裏地に１００ｇ／ｍ2 以下の軽量生地を使用した請求項１または２記載の羽毛掛け布団。
【請求項４】
軽量生地はポリエステル８０％、綿２０％からなる生地である請求項３記載の羽毛掛け布団。
【請求項５】
裏地に対して表地の長さ方向および幅方向の寸法を大きく設定するとともに、表地の四隅と裏地の四隅が合致するように、表地の幅方向の辺と長さ方向の辺の四隅付近を四隅に向かったテーパー状に切り落とした請求項１から４のいずれかに記載の羽毛掛け布団。
【考案の詳細な説明】
【技術分野】
【０００１】
この考案は羽毛掛け布団に関し、より詳細には立体キルト状の羽毛掛け布団に関する。
【背景技術】
【０００２】
格子状に配したマチテープを介して表地と裏地を立体キルト状に縫い合わせることにより複数の区画室を製袋し、各区画室に羽毛を充填した羽毛掛け布団が立体キルト羽毛布団として知られている。
【０００３】
図５はこの種の布団を示す図である。ここでは、マチテープ２１を境に等大の表地２０と裏地２２を縫い合わせて複数の区画室を製袋し、各区画室に羽毛を充填している。この場合、表地２０と裏地２２との間隔はマチテープ２１の高さにより確保され、さらに、羽毛を高密度で各区画室に充填することにより区画室において表地２０と裏地２２がマチテープの上下方向に膨れて羽毛布団自体の高さが確保される。
【０００４】
また、立体キルト羽毛布団において、表地と裏地間に中地を介在させることにより表地と中地間、中地と裏地間のそれぞれを立体キルト状に縫い合わた上下２層の区画室を設けた羽毛掛け布団も公知である（特許文献１）。
【先行技術文献】
【特許文献】
【０００５】
【特許文献１】登録第３００２３４０号実用新案公報
【考案の概要】
【考案が解決しようとする課題】
【０００６】
従来技術の立体キルト羽毛布団においては、図７に示すように就寝者の体に触れる裏地部分２２が各区画室ごとに膨れているので、隣接する区画室の間に谷部２２Ａが生じ、これが就寝者の体と掛け布団との間の隙間として作用し、フイット間を阻害する問題があった。
【０００７】
羽毛布団において複数の区画室を製袋する理由は、それらのひとつひとつに羽毛を均等に収容することにより、布団の中で羽毛が片寄ってしまうことを防ぐためである。一方、羽毛布団が温かい理由は収容された羽毛が空気を抱き込むことにより内部に空気の層ができるからである。従って、収容する羽毛の量に比例して温かさが増す筈であるが、それに応じて布団の中の空間を増やさないと、生地によって羽毛が押さえ込まれてしまって十分な量の空気を抱き込むことができなくなってしまう。
【課題を解決するための手段】
【０００８】
この考案は前記の従来の羽毛掛け布団における問題点に鑑みて創作されたものであり、格子状に配したマチテープを介して表地と裏地を立体キルト状に縫い合わせることにより複数の区画室を製袋し、各区画室に羽毛を充填した羽毛掛け布団において、裏地に対して表地の寸法を大きく設定し、布団の幅方向の中央箇所において表地と裏地間に中地を介在させることにより表地と中地間、中地と裏地間のそれぞれを立体キルト状に縫い合わた上下２層の区画室を設けるとともに、幅方向の両端箇所においては中地を介在させない表地と裏地間を立体キルト状に縫い合わた１層の区画室とすることにより、裏地に対し余剰した表地部分を布団の幅方向の中央箇所において山状に盛り上がらせたことを特徴とする。
【０００９】
また、請求項２にかかわる考案は、前記の羽毛掛け布団において、布団の全長方向に連続する複数の区画室の列は、布団の裏地側においてはその幅方向一杯に３列配され、布団の表地側においてはその幅方向の中央箇所において３列配されることを特徴とする。
【００１０】
また、請求項３にかかわる考案は、前記の羽毛掛け布団において、表地、中地および裏地に１００ｇ／ｍ2 以下の軽量生地を使用したことを特徴とする。
【００１１】
また、請求項４にかかわる考案は、前記の羽毛掛け布団において、裏地に対して表地の長さ方向および幅方向の寸法を大きく設定するとともに、表地の四隅と裏地の四隅が合致するように、表地の幅方向の辺と長さ方向の辺の四隅付近を四隅に向かったテーパー状に切り落としたことを特徴とする。
【考案の効果】
【００１２】
この考案の羽毛掛け布団は上下２層の区画室を設けているが、上下２層の区画室は布団の幅方向の中央箇所のみであり、幅方向の両端箇所においては１層の区画室とすることにより、裏地に対し余剰した表地部分を布団の幅方向の中央箇所において山状に盛り上がらせている。従って、従来技術の掛け布団のように充填される羽毛により表地と裏地に内圧をかけて膨らますのではなく、最初から山状に膨らんで製袋されている区画室に羽毛を充填することとなり、羽毛が大量の空気を抱き込むことができ、就寝時に体にあたる布団の幅方向の中央箇所において十分な温かさが確保されることとなる。
【００１３】
一方、表地と中地と裏地の上下２層とした場合、布団の可撓性が低下し、就寝時に体にフイットしない問題が生じるが、この考案においては幅方向の両端箇所においては１層の区画室としているので、この箇所においては十分な可撓性が生じる。よって、図５に示すように体Ｂの両側において布団Ｆが自然に撓むことにより、肩口や首元に対しフイットして隙間から熱が逃げることが防止される。
【００１４】
また、就寝時に体にあたる箇所において上下２層とすることにより、区画室の総数を上下に分散するので、体にあたる箇所における裏地側の区画室の数が少なくなることとなる。その結果、就寝者の体と掛け布団との間の隙間として作用してフイット間を阻害する区画室の間の谷部の数を可及的に少なくすることが可能となる。この場合、特に請求項２にかかわる考案のように布団の全長方向に連続する複数の区画室の列を、布団の裏地側においてはその幅方向一杯に３列とし、布団の表地側においてはその幅方向の中央箇所において３列とする場合は図４に示すように体に当たる区画室の間の谷部の数は最小限となり、布団が隙間なく体にフィットすることとなる。
【００１５】
また、請求項３にかかわる考案によれば表地および裏地に１００ｇ／ｍ2 以下の軽量生地を使用しているので生地の可撓性が優れ、山に膨らんで製袋されている区画室に羽毛を充填した場合、高密度化して内圧を高めなくても羽毛に生地が容易に追従して可撓するので効率的にふっくら感を実現することができる。
【００１６】
また、同様の理由から掛け布団の軽量化も実現できる。
【００１７】
この考案の羽毛掛け布団は裏地に対し余剰した表地部分を布団の幅方向の中央箇所において山状に盛り上がらせているので、その箇所においては布団が不自然に撓むことはない。しかしながら、布団の四隅箇所においては裏地に対し余剰した表地部分が不自然に撓むおそれがある。そこで、請求項４にかかわる考案においては表地の四隅と裏地の四隅が合致するように、表地の幅方向の辺と長さ方向の辺の四隅付近を四隅に向かったテーパー状に切り落とすことによりこの撓みを防止している。
【図面の簡単な説明】
【００１８】
【図１】この考案の羽毛掛け布団の斜視図。
【図２】同上、Ａ−Ａ線断面の斜視図。
【図３】同上、Ａ−Ａ線断面図。
【図４】同上、裏地に表地を重ねた状態の平面図。
【図５】同上、使用状態を示す正面図。
【図６】従来技術の羽毛掛け布団の側面図。
【図７】同上、要部の側面図。
【考案を実施するための形態】
【００１９】
以下、この考案の羽毛掛け布団の実施例を添付図面に基づいて説明する。図１は掛け布団の斜視図、同じく図２はＡ−Ａ線断面の斜視図、図３はＡ−Ａ線断面図である。この考案の羽毛掛け布団は格子状に配したマチテープを介して表地と裏地を立体キルト状に縫い合わせることによりマチテープに囲まれる複数の区画室を製袋し、各区画室に羽毛（図示せず）を充填する。この場合、裏地３に対して表地１の寸法を大きく設定しているので余剰部分が生じる。この余剰部分を利用して、布団Ｆの幅方向の中央箇所Ｆ１において表地１と裏地３間に中地２を介在させることにより表地と中地間、中地と裏地間のそれぞれを立体キルト状に縫い合わた上下２層の区画室Ｒ２、Ｒ１を設ける。一方、幅方向の両端箇所Ｆ２、Ｆ２においては中地を介在させない表地１と裏地３間を立体キルト状に縫い合わた１層の区画室Ｒ１とする。よって、裏地３に対し余剰した表地１部分は布団Ｆの幅方向の中央箇所Ｆ１において山状に盛り上がることになる。以上の区画室Ｒ１、Ｒ２は布団の全長方向に連続して複数設けられる。
【００２０】
図中符号５Ａ、５Ｂは裏地３側の区画室Ｒ１を構成するための格子状に配した縦横のマチテープ、同じく４Ａ、４Ｂは表地１側の区画室Ｒ２を構成するための格子状に配した縦横のマチテープである。これらは格子状に配されて、マチテープ４Ａ、４Ｂの上下を表地１および中地２に、マチテープ５Ａ、５Ｂの上下を中地２および裏地３にそれぞれ縫着することによりマチテープを介して両者を結合する。
【００２１】
この実施例においては、布団の全長方向に連続する複数の区画室の列は、布団の裏地側においてはその幅方向一杯に区画室Ｒ１が３列配され、布団の表地側においてはその幅方向の中央箇所において区画室Ｒ２が３列配される。この場合、区画室Ｒ２は布団Ｆの幅方向の中央箇所Ｆ１に設けられ、その上半分に区画室Ｒ１が設けられるので、この箇所のマチテープ５Ｂの上部は表地１および中地２のそれぞれに縫着されることとなる（図５参照）。
【００２２】
なお、この実施例においては、裏地３に対して表地１の長さ方向および幅方向の寸法を大きく設定しているので、布団の四隅箇所において裏地に対し余剰した表地部分が不自然に撓むおそれがある。そこで、図４に示すように表地１の四隅と裏地３の四隅が合致するように、表地の幅方向の辺と長さ方向の辺の四隅付近Ｃを四隅に向かったテーパー状に切り落とすことによりこの撓みを防止している。この実施例においては、長さと幅がそれぞれ２１９ｃｍ、１５６ｃｍの裏地３に対し、表地の長さと幅をそれぞれ２２５ｃｍ、１６０ｃｍするものであり、表地の四隅と裏地の四隅が合致するように、表地の幅方向の辺と長さ方向の辺の四隅付近Ｃを四隅に向かったテーパー状に切り落としている。
【００２３】
次にこの実施例においては表地１、中地２および裏地３の素材として１００ｇ／ｍ2 以下の軽量生地を使用する。このような軽量生地としてこの実施例ではポリエステル８０％、綿２０％からなるＴＴＣ（東レの商品名）生地を採用しているが、生地はこれに限られないことは勿論である。これにより生地の可撓性が増し、山状に膨らんで製袋されている区画室に羽毛を充填した場合、高密度化して内圧を高めなくても羽毛に生地が容易に追従して可撓するので効率的にふっくら感を実現することができる。
【符号の説明】
【００２４】
Ｆ                布団
Ｆ１              中央箇所
Ｆ２              両端箇所
Ｒ１              区画室
Ｒ２              区画室
１                表地
２                中地
３                裏地
【図１】
0003183332.tif 000003
【図２】
0003183332.tif 000004
【図３】
0003183332.tif 000005
【図４】
0003183332.tif 000006
【図６】
0003183332.tif 000007
【図７】
0003183332.tif 000008
【図５】
0003183332.tif 000009